(57)【要約】【課題】浴槽水の排水と有効利用とを選択的に切り換えることができ、また浴槽水の全部を有効利用することのできる浴槽水利用システムを提供する。【解決手段】本発明の浴槽水利用システムは、浴槽１の排水路２の途中に第一及び第二の排水弁３，４を設置し、第一及び第二の排水弁３，４の途中に分岐路を設けて浴槽水の他用途流路５を接続している。第一及び第二の排水弁３，４を共に「開」にすると、浴槽１内の湯水を排水路２から全量排出することができる。一方、第一の排水弁３を「開」にし、第二の排水弁４を「閉」とした場合には、他用途流路５から浴槽水を洗濯機等へ利用することができる。【選択図】  図１
2004332422.tif 000002
【特許請求の範囲】
【請求項１】
浴槽の排水路の途中に第一及び第二の排水弁を設置し、第一及び第二の排水弁の途中に分岐路を設けて浴槽水の他用途流路を接続したことを特徴とする浴槽水利用システム。
【請求項２】
浴槽の排水路の途中に第一及び第二の排水弁を設置し、第一及び第二の排水弁の途中に分岐路を設けて浴槽水の他用途流路を接続し、該他用途流路の途中にポンプを配設したことを特徴とする浴槽水利用システム。
【請求項３】
浴槽の排水路の途中に第一及び第二の排水弁を設置し、第一及び第二の排水弁の途中に、第二の排水弁をバイパスする流路を接続し、該バイパス流路の途中にポンプを配設したことを特徴とする浴槽水利用システム。
【請求項４】
前記バイパス流路のポンプよりも下流側に切替弁を設け、該切替弁に浴槽水の他用途流路を接続した請求項３に記載の浴槽水利用システム。
【請求項５】
浴槽の排水路の途中に第一の排水弁を設置し、該第一の排水弁と浴槽との間の排水路の途中を分岐した他用途流路の途中に第二の排水弁を設置したことを特徴とする浴槽水利用システム。
【請求項６】
浴槽の排水路の途中に三方切替弁を設け、三方切替弁の入口側ポートを浴槽の排水口へ接続し、出口側ポートの一つを他用途流路に接続し、他方の出口側ポートを排水路に接続したことを特徴とする浴槽水利用システム。
【発明の詳細な説明】
【０００１】
【発明の属する技術分野】
本発明は、浴槽水を洗濯や洗車、浴室洗い場の暖房、庭への散水等に利用し、また浴槽水を強制的に排出することのできる浴槽水の利用システムに関するものである。
【０００２】
【従来の技術】
従来の浴槽水を利用するシステムとしては、例えば特許文献１乃至３に記載されたものがある。特許文献１に記載された技術は、浴槽と洗い場からの排水を、浴槽背面側下部に設けた排水タンクへ集水し、該排水タンク内に設置したポンプで強制的に汲み上げるようにしている。そして、洗い場の排水と浴槽の排水とを選択的に切り換えるようにしている。浴槽から排水する場合は、洗い場の排水口を閉じ、浴槽水を排水タンクへ集水し、これをポンプアップして洗濯水として利用するようにしている。
【０００３】
また特許文献２に記載された技術にあっては、浴槽排水路の途中にポンプを設置し、該ポンプで強制的に浴槽水を排水するようにしている。
【０００４】
更に、特許文献３に記載された技術にあっては、浴槽水の循環経路のポンプよりも下流側に分岐管路を設け、該分岐管路の吐出口を洗い場に向けて開口させている。この従来技術では、冬期等において、洗い場の床面が冷たいことに鑑み、入浴する前に浴槽水を循環経路から汲み上げて洗い場へ散水し、洗い場の床暖房をした上で入浴するようにしている。これにより、少ない湯量で且つ短時間に洗い場床面の暖房を可能とするものである。
【０００５】
【特許文献１】
特開平１０−２５９６３１号公報
【特許文献２】
実開昭５０−６５７２８号公報
【特許文献３】
特開２００１−１９３１２１号公報
【０００６】
【発明が解決しようとする課題】
ところが、前記特許文献１及び２の従来技術にあっては、浴槽水をポンプアップするという単一の目的に使用するだけのものであり、浴槽水を排水したり、洗濯機へ有効利用したりするのを選択的に切り換えるというものではなく、利用態様が制限されていた。
【０００７】
また特許文献３の従来技術にあっては、浴槽水の循環経路の途中に、洗い場側への分岐管路を設けており、浴槽水の循環経路のない浴槽には適用することができないでいた。しかも、浴槽水の循環経路に分岐管路が設けられているため、浴槽水の循環経路の取水口よりも下方に残った浴槽水はくみ出すことができず、残り湯の全部を利用するといったことはできなかった。
【０００８】
本発明は従来の前記課題に鑑みてこれを改良除去したものであって、浴槽水の排水と有効利用とを選択的に切り換えることができ、また浴槽水の全部を有効利用することのできる浴槽水利用システムを提供せんとするものである。
【０００９】
【課題を解決するための手段】
而して、前記課題を解決するために本発明が採用した請求項１の手段は、浴槽の排水路の途中に第一及び第二の排水弁を設置し、第一及び第二の排水弁の途中に分岐路を設けて浴槽水の他用途流路を接続したことを特徴とする浴槽水利用システムである。
第一及び第二の排水弁を共に「開」にすると、浴槽内の湯水を全量排出することができる。一方、第一の排水弁を「開」にし、第二の排水弁を「閉」とした場合には、他用途流路から浴槽水を洗濯機等へ利用することができる。
【００１０】
また本発明が採用した請求項２の手段は、浴槽の排水路の途中に第一及び第二の排水弁を設置し、第一及び第二の排水弁の途中に分岐路を設けて浴槽水の他用途流路を接続し、該他用途流路の途中にポンプを配設したことを特徴とする浴槽水利用システムである。
この発明では、他用途流路にポンプを設けて浴槽水を強制的に汲み上げて利用できるようにしている。その他は請求項１の発明と同じである。
【００１１】
本発明が採用した請求項３の手段は、浴槽の排水路の途中に第一及び第二の排水弁を設置し、第一及び第二の排水弁の途中に、第二の排水弁をバイパスする流路を接続し、該バイパス流路の途中にポンプを配設したことを特徴とする浴槽水利用システムである。
この発明では、第一及び第二の排水弁を共に「開」にし、パイパス流路途中のポンプを駆動させることにより、浴槽内の湯水を強制的に排出することができ、短時間での排水が可能である。
【００１２】
本発明が採用した請求項４の手段は、前記バイパス流路のポンプよりも下流側に切替弁を設け、該切替弁に浴槽水の他用途流路を接続した請求項３に記載の浴槽水利用システムである。
この発明では切替弁によって浴槽水の汲み上げ利用か、排水かを選択することができる。また強制的な汲み上げ若しくは排水を行うことが可能である。
【００１３】
本発明が採用した請求項５の手段は、浴槽の排水路の途中に第一の排水弁を設置し、該第一の排水弁と浴槽との間の排水路の途中を分岐した他用途流路の途中に第二の排水弁を設置したことを特徴とする浴槽水利用システムである。
この発明では、第一の排水弁を「開」とし、第二の排水弁を「閉」とすることにより、浴槽水を排水することができる。また第一の排水弁を「閉」とし、第二の排水弁を「開」とすることにより、浴槽水を他用途に利用することが可能である。
【００１４】
本発明が採用した請求項６の手段は、浴槽の排水路の途中に三方切替弁を設け、三方切替弁の入口側ポートを浴槽の排水口へ接続し、出口側ポートの一つを他用途流路に接続し、他方の出口側ポートを排水路に接続したことを特徴とする浴槽水利用システムである。
この発明では、三方切替弁を切替操作するだけで、止水状態、浴槽水の排水、浴槽水の他用途利用が可能である。
【００１５】
【発明の実施の形態】
以下に、本発明の構成を図面に示す発明の実施の形態に基づいて説明すると次の通りである。図１は本発明の第１の実施の形態に係るものである。同図に示す如く、この実施の形態では、浴槽１の底面の排水口に連続する排水路２の途中に第一及び第二の二つの排水弁３，４を設置している。第一の排水弁３を上流側排水弁と称し、第二の排水弁４を下流側排水弁と称する。上流側排水弁３と下流側排水弁４との間の流路を分岐して他用途流路５としている。
【００１６】
上流側排水弁３を「開」とし、下流側排水弁４を「開」とした場合は、浴槽１内の湯水は排水路２を流下して下水（図示せず）等へ排出される。また上流側排水弁３を「開」とし、下流側排水弁４を「閉」とした場合は、浴槽水は他用途流路５を通じて排水される。他用途流路５は、これを洗濯機へ連通接続することで浴槽の残り水を全部洗濯へ利用することができる。また自家用車の洗車や庭への散水、浴室洗い場への散水による床暖房等へも利用することが可能である。また上下の排水弁３及び４を共に「閉」にしたときは、止水状態であり、浴槽１への入浴が可能である。
【００１７】
図２は本発明の第２の実施の形態に係るものである。同図に示す如く、この実施の形態では、前記他用途流路５にポンプ６を設けて、浴槽水を強制的に汲み上げて短時間て排水できるようにしている。その他の構成並びに作用効果は、前記第１の実施の形態の場合と同じである。
【００１８】
図３は本発明の第３の実施の形態に係るものである。この実施の形態では、下流側排水弁４をバイパスする流路７を設け、該バイパス流路７の途中にポンプ６を設置している。上流側と下流側の二つの排水弁３及び４を共に「開」にした状態でポンプ６を駆動させると、浴槽１内の残り湯を強制的に全部排水することが可能であり、排水に要する時間を大幅に短縮することができる。その結果浴槽１の清掃に係る時間の短縮化が可能である。
【００１９】
図４は本発明の第４の実施の形態に係るものである。この実施の形態は、前記第３の実施の形態のバイパス流路７のポンプ６よりも下流側に三方向の切替弁８を設け、一方側のポートに他用途の流路９を配設している。上流側と下流側の二つの排水弁３及び４を「開」にした状態で、切替弁８をバイパス流路７が形成されるように切り換え操作すると、浴槽１内の残り湯は、ポンプ６によりバイパス流路７から排水路２へ強制的に排水される流路と、上下の排水弁３及び４を通って排水路２を流れる流路との二つの方法によって排水されることになり、短時間で排水作業が終了する。
一方、上流側の排水弁３を「開」とし、下流側の排水弁４を「閉」とした上で切替弁８を他用途の流路９側へ切り換え操作すると、浴槽１内の残り湯を流路９を通じて洗濯機等へ強制的に供給することができる。残り湯の全部を短時間で供給できることは、前記第２の実施の形態の場合と同じである。
【００２０】
図５は本発明の第５の実施の形態に係るものである。この実施の形態は、図４に示す第４の実施の形態における切替弁８に代えて、並列接続した複数の切替弁１０〜１３と他用途の流路１４〜１６とで構成するようにしている。上流側の排水弁３と下流側の排水弁４とを共に「開」にした上で、バイパス流路７の複数の切替弁のうちの一つの切替弁１０のみを「開」にしてポンプ６を駆動させると、下流側の排水弁４を通って排水路２を流れる排水と、ポンプ６及び切替弁１０を通ってバイパス流路７から排水路２へ流れる排水とが得られる。これにより、浴槽１内の残り湯の全部を強制的に短時間で排水することが可能である。
一方、上流側の排水弁３を「開」とし、下流側の排水弁４を「閉」とした上で複数の切替弁１１〜１３のうちの一つを選択的に「開」とすると、当該選択された切替弁１１〜１３が存在する流路１４〜１６へ浴槽１内の残り湯が供給され、目的に応じた利用が可能である。また上下の排水弁３及び４が共に「閉」のときは、止水状態である。
【００２１】
図６は本発明の第６の実施の形態に係るものである。同図に示す如く、この実施の形態にあっては、浴槽１の排水路２に一つの排水弁１７を設け、この排水弁１７と浴槽１との間の排水路２に他用途の流路１８を分岐接続し、他用途の流路１８の途中に排水弁１９を設けている。両方の排水弁１７及び１９が「閉」のときは、止水状態である。また排水弁１７又は１９の一方側のみが「開」であるときは、「開」となっている排水弁１７又は１９の流路２又は１８へ浴槽１の残り湯が供給され、排水又は他用途目的の利用が行われる。
【００２２】
図７は本発明の第７の実施の形態に係るものである。同図に示す如く、この実施の形態にあっては、浴槽１の排水路２の途中に三方切替弁２０を設け、三方切替弁２０の入口側ポート２０Ａを浴槽１の排水口へ接続し、出口側ポートの一つ２０Ｂを他用途流路２１に接続し、他方の出口側ポート２０Ｃを排水路２に接続している。これにより、三方切替弁２０を切替操作するだけで、止水状態、浴槽水の排水、浴槽水の他用途利用が可能である。
【００２３】
【発明の効果】
以上説明したように請求項１の発明にあっては、浴槽の排水路の途中に第一及び第二の排水弁を設置し、第一及び第二の排水弁の途中に分岐路を設けて浴槽水の他用途流路を接続しており、第一及び第二の排水弁を切替操作するだけで、止水状態、浴槽水の排水、洗濯機等への他用途利用が可能であり、極めて便利である。
【００２４】
また請求項２の発明にあっては、請求項１の発明の他用途流路の途中にポンプを配設しているので、浴槽水を強制的に汲み上げることができ、排水及び洗濯機等への供給時間を短時間に行うことが可能である。
【００２５】
更に、請求項３の発明にあっては、浴槽の排水路の途中に第一及び第二の排水弁を設置し、第一及び第二の排水弁の途中に、第二の排水弁をバイパスする流路を接続し、該バイパス流路の途中にポンプを配設しており、第一及び第二の排水弁を共に「開」にし、パイパス流路途中のポンプを駆動させることにより、浴槽内の湯水を強制的に排出することができ、短時間での排水が可能である。
【００２６】
更にまた、請求項４の発明は、請求項３の発明のバイパス流路のポンプよりも下流側に切替弁を設け、該切替弁に浴槽水の他用途流路を接続している。この発明では切替弁によって浴槽水の汲み上げ利用か、排水かを選択することができる。また強制的な汲み上げ若しくは排水を行うことが可能である。
【００２７】
更に、請求項５の発明は、浴槽の排水路の途中に第一の排水弁を設置し、該第一の排水弁と浴槽との間の排水路の途中を分岐した他用途流路の途中に第二の排水弁を設置している。この発明では、第一の排水弁を「開」とし、第二の排水弁を「閉」とすることにより、浴槽水を排水することができる。また第一の排水弁を「閉」とし、第二の排水弁を「開」とすることにより、浴槽水を洗濯機の洗濯水として、庭への散水用として、自家用車の洗車用として、浴槽洗い場の床暖房のための散水用等として他用途に利用することが可能である。
【００２８】
更に、請求項６の発明は、浴槽の排水路の途中に三方切替弁を設け、三方切替弁の入口側ポートを浴槽の排水口へ接続し、出口側ポートの一つを他用途流路に接続し、他方の出口側ポートを排水路に接続している。この発明では、三方切替弁を切替操作するだけで、止水状態、浴槽水の排水、浴槽水の他用途利用が可能である。
【図面の簡単な説明】
【図１】本発明の第１の実施の形態に係る構成を示す概略図である。
【図２】本発明の第２の実施の形態に係る構成を示す概略図である。
【図３】本発明の第３の実施の形態に係る構成を示す概略図である。
【図４】本発明の第４の実施の形態に係る構成を示す概略図である。
【図５】本発明の第５の実施の形態に係る構成を示す概略図である。
【図６】本発明の第６の実施の形態に係る構成を示す概略図である。
【図７】本発明の第７の実施の形態に係る構成を示す概略図である。
【符号の説明】
１…浴槽、２…排水路、３…第一（上流側）の排水弁、４…第二（下流側）の排水弁、５…他用途流路、６…ポンプ、７…バイパス流路、８…切替弁、９…他用途流路、１０〜１３…切替弁、１４〜１６…他用途流路、１７，１９…排水弁、１８…他用途流路、２０…三方切替弁、２０Ａ…入口側ポート、２０Ｂ，２０Ｃ…出口側ポート、２１…他用途流路
【図１】
2004332422.tif 000003
【図２】
2004332422.tif 000004
【図３】
2004332422.tif 000005
【図４】
2004332422.tif 000006
【図５】
2004332422.tif 000007
【図６】
2004332422.tif 000008
【図７】
2004332422.tif 000009